(57)【要約】  映像表示装置は、有効領域判定手段（１１０）と、シーンチェンジ検出手段（１２０）と、映像変換処理手段（１３０）と、映像表示手段（２００）と、を備えている。有効領域判定手段（１１０）は、入力された映像信号を認識し、有効領域のアスペクト比を判定する。シーンチェンジ検出手段（１２０）は、一連した時間的に相関の高い映像が切り替わる瞬間を検出する。映像変換処理手段（１３０）は、入力された映像信号に対して前述の有効領域判定手段（１１０）によって判定された有効領域のアスペクト比と、シーンチェンジ検出手段（１２０）によって検出されたシーンチェンジの情報に基づいて映像信号の変換を行い、変換された映像信号を映像表示手段（２００）に出力する。映像表示手段（２００）は、映像変換処理手段（１３０）から出力された出力映像信号を表示領域に表示させる制御をする。
2010064319.tif 000002
【特許請求の範囲】
【請求項１】
入力映像信号を処理して所定のアスペクト比を有する表示領域に表示させる映像表示制御装置であって、
前記入力映像信号についての有効領域のアスペクト比を判定する有効領域判定手段と、
前記入力映像信号中のシーンチェンジを検出するシーンチェンジ検出手段と、
前記入力映像信号中の前記有効領域のアスペクト比の変化に応じて前記有効領域の拡大または非拡大の変換を行った出力映像信号を前記表示領域に表示させる映像変換処理手段と、を具備し、
前記映像変換処理手段は、
前記拡大または前記非拡大のうち少なくともいずれか一方の処理を前記検出されたシーンチェンジに同期させる
ことを特徴とする映像表示制御装置。
【請求項２】
請求項１に記載の映像表示制御装置において、
前記表示領域は、第１のアスペクト比を有し、
前記映像変換処理手段は、
前記入力映像信号中の前記有効領域のアスペクト比が第１のアスペクト比から第１のアスペクト比よりも小さい第２のアスペクト比に変化した場合、前記シーンチェンジが検出されない間は前記有効領域のアスペクト比を変換せずに出力映像信号として出力し、前記シーンチェンジが検出されると前記有効領域のアスペクト比を前記第１のアスペクト比に拡大変換した出力映像信号を出力し、
前記入力映像信号中の前記有効領域のアスペクト比が前記第２のアスペクト比から前記第１のアスペクト比に変化した場合、前記シーンチェンジが検出されない間は前記有効領域のアスペクト比を拡大変換した出力映像信号を出力し、前記シーンチェンジが検出されると前記有効領域のアスペクト比を変換せずに出力映像信号として出力する
ことを特徴とする映像表示制御装置。
【請求項３】
請求項１に記載の映像表示制御装置において、
前記表示領域は、第１のアスペクト比を有し、
前記映像変換処理手段は、
前記入力映像信号中の前記有効領域のアスペクト比が第１のアスペクト比から第１のアスペクト比よりも小さい第２のアスペクト比に変化した場合、前記シーンチェンジが検出されない間は前記有効領域のアスペクト比を変換せずに出力映像信号として出力し、前記シーンチェンジが検出されると前記有効領域のアスペクト比を前記第１のアスペクト比に拡大変換した出力映像信号を出力し、
前記入力映像信号中の前記有効領域のアスペクト比が前記第２のアスペクト比から前記第１のアスペクト比に変化した場合、直ちに前記有効領域のアスペクト比を変換せずに出力映像信号として出力する
ことを特徴とする映像表示制御装置。
【請求項４】
請求項１から請求項３のいずれかに記載の映像表示制御装置と、
この映像表示制御装置で生成された出力映像信号を表示する映像表示手段と、
を具備したことを特徴とする映像表示装置。
【請求項５】
演算手段により、入力映像信号を処理して所定のアスペクト比を有する表示領域に表示させる映像表示方法であって、
前記演算手段は、
前記入力映像信号についての有効領域のアスペクト比を判定し、
前記入力映像信号中のシーンチェンジを検出し、
前記入力映像信号中の前記有効領域のアスペクト比の変化に応じて前記有効領域の拡大または非拡大の変換を行った出力映像信号を前記表示領域に表示させ、この拡大または非拡大のうち少なくともいずれか一方の処理を前記検出されたシーンチェンジに同期させて行う
ことを特徴とする映像表示方法。
【請求項６】
請求項４に記載の映像表示方法を演算手段に実行させる
ことを特徴とする映像表示プログラム。
【請求項７】
演算手段を請求項１から請求項３のいずれかに記載の映像表示装置として機能させる
ことを特徴とする映像表示プログラム。
【請求項８】
請求項５または請求項６に記載の映像表示プログラムが演算手段にて読取可能に記録された
ことを特徴とする映像表示プログラムを記録した記録媒体。
【発明の詳細な説明】
【技術分野】
【０００１】
本発明は、映像表示制御装置、映像表示装置、その方法、そのプログラムおよびそのプログラムを記録した記録媒体に関する。
【背景技術】
【０００２】
従来、世界的に放送のデジタル化が進んでおり、デジタル放送のアスペクト比はほとんど１６：９となっている。しかしながら、従来の放送のアスペクト比が４：３であったり、放送設備が４：３のアスペクト比のものであるなどの背景から、放送される映像信号のアスペクト比は１６：９であるが、実際の有効エリアが４：３であるものも多く、アスペクト比１６：９の有効エリアを持つものと４：３の有効エリアをもつものとが時間的に切り替わっている。そこで、アスペクト比１６：９の放送信号に対して、アスペクト比４：３である映像コンテンツを伝送するため、４：３の有効エリアの両側に黒や灰色の無画部をつけたものや柄付きのデザインされた映像を付加してアスペクト比を１６：９にして伝送する放送が多く存在する。【０００３】
一方、ＰＤＰ（Ｐｌａｓｍａ  Ｄｉｓｐｌａｙ  Ｐａｎｅｌ）やＣＲＴ（Ｃａｔｈｏｄｅ  Ｒａｙ  Ｔｕｂｅ）では、画面の両サイドを黒い表示のまま長時間表示すると、両サイドは蛍光体の劣化がおきず、画面の中央部のみ蛍光体の劣化が起き、画面全体の輝度の均一性が悪化するという問題や、画面の全体に映像を表示しないことにより画面サイズが小さくなって損をしているようにユーザに感じさせるという問題がある。その対策として、リモコンなどを使って手動で横方向に画面を拡大させて画面全体に有効エリアを表示する機能を持っているものや、アスペクト比が４：３の映像信号が入力されたことを検出し、自動で横方向に拡大処理を行って画面全体に表示できる機能を持つテレビがある（例えば、特許文献１参照）。【０００４】
特許文献１に記載のものは、アスペクト比４：３の映像の左右部に黒帯状のサイドパネルを付加して擬似的にアスペクト比１６：９とした、いわゆる贋１６：９の番組を受信した場合に、受像機のアスペクト比が１６：９であればサイドパネル部分をカットするとともに、水平拡大してアスペクト比４：３の映像信号を出力している。【０００５】
【特許文献１】特開２００１−８１２８号公報
【発明の開示】
【発明が解決しようとする課題】
【０００６】
しかしながら、特許文献１に記載のように、受像機側で自動的にアスペクト比を変換して表示させると、一連している相関の高い映像が続いている場合に映像のアスペクト比が突然変わってしまい、ユーザに対して不自然さおよび煩わしさを与えてしまうという問題が一例として挙げられる。【０００７】
本発明の目的は、表示領域における焼き付きを防止するとともに、自然かつ快適な映像表示を行う映像表示制御装置、映像表示装置、その方法、そのプログラムおよびそのプログラムを記録した記録媒体を提供することを一つの目的とする。
【課題を解決するための手段】
【０００８】
本発明の映像表示制御装置は、入力映像信号を処理して所定のアスペクト比を有する表示領域に表示させる映像表示制御装置であって、前記入力映像信号についての有効領域のアスペクト比を判定する有効領域判定手段と、前記入力映像信号中のシーンチェンジを検出するシーンチェンジ検出手段と、前記入力映像信号中の前記有効領域のアスペクト比の変化に応じて前記有効領域の拡大または非拡大の変換を行った出力映像信号を前記表示領域に表示させる映像変換処理手段と、を具備し、前記映像変換処理手段は、前記拡大または前記非拡大のうち少なくともいずれか一方の処理を前記検出されたシーンチェンジに同期させることを特徴とする。【０００９】
本発明の映像表示装置は、前述の映像表示制御装置と、この映像表示制御装置で生成された出力映像信号を表示する映像表示手段と、を具備したことを特徴とする。【００１０】
本発明の映像表示方法は、演算手段により、入力映像信号を処理して所定のアスペクト比を有する表示領域に表示させる映像表示方法であって、前記演算手段は、前記入力映像信号についての有効領域のアスペクト比を判定し、前記入力映像信号中のシーンチェンジを検出し、前記入力映像信号中の前記有効領域のアスペクト比の変化に応じて前記有効領域の拡大または非拡大の変換を行った出力映像信号を前記表示領域に表示させ、この拡大または非拡大のうち少なくともいずれか一方の処理を前記検出されたシーンチェンジに同期させて行うことを特徴とする。【００１１】
本発明の映像表示プログラムは、前述の映像表示方法を演算手段に実行させることを特徴とする。【００１２】
本発明の記録媒体は、前述の映像表示プログラムが演算手段にて読取可能に記録されたことを特徴とする。
【図面の簡単な説明】
【００１３】
【図１】本発明にかかる第１実施形態の映像表示装置の概略構成を示すブロック図。
【図２】前記第１実施形態における映像表示装置に表示される映像の有効領域を検出する方法を示す説明図。
【図３】前記第１実施形態における映像表示装置で表示される映像の輝度の分布を示すグラフ。
【図４】前記第１実施形態における映像表示装置で表示される映像の輝度の分布を示すグラフ。
【図５】前記第１実施形態における映像表示装置で表示される映像の流れを示す説明図。
【図６】本発明にかかる第２実施形態における映像表示装置で表示される映像の流れを示す説明図。
【符号の説明】
【００１４】
１０…映像表示装置
１００…演算手段としての映像表示制御装置
１１０…有効領域判定手段
１２０…シーンチェンジ検出手段
１３０、１３１…映像変換処理手段
２００…映像表示手段
【発明を実施するための最良の形態】
【００１５】
（第１実施形態）
以下、本発明の第１実施形態を図面に基づいて説明する。
この第１実施形態では、アスペクト比１６：９の表示領域に映像を表示させる映像表示装置を例示して説明する。【００１６】
［映像表示装置の構成］
まず、映像表示装置の構成について説明する。
図１は、本発明にかかる第１実施形態の映像表示装置の概略構成を示すブロック図である。図２は、前記第１実施形態における映像表示装置に表示される映像の有効領域を検出する方法を示す説明図である。図３は、前記第１実施形態における映像表示装置で表示される映像の輝度の分布を示すグラフである。図４は、前記第１実施形態における映像表示装置で表示される映像の輝度の分布を示すグラフである。【００１７】
図１に示すように、映像表示装置は、入力された映像信号を映像表示手段２００のアスペクト比１６：９の表示領域に応じた映像に変換して表示させる装置である。この映像表示装置は、演算手段としての映像表示制御装置１００と、映像表示手段２００と、を備えている。また、映像表示装置は、例えば記憶手段を備え、映像表示手段２００のアスペクト比等のデータを読み出し可能に記憶できる構成などとしてもよいし、データ取得手段を備え、このデータ取得手段は、例えばアンテナから放送波を受信しこの放送波から映像信号を取得するチューナ、通信回線を介して例えばネットワーク上で配信される映像信号を取得する通信部、例えばＣＤ、ＤＶＤ、ＭＤなどの各種光ディスク、光磁気ディスク、磁気ディスクなどの記録媒体に記録された映像信号を読み込み可能なドライブ装置などであってもよい。【００１８】
映像表示制御装置１００は、入力映像信号を処理して出力映像信号として映像表示手段２００に出力する装置であり、有効領域判定手段１１０と、シーンチェンジ検出手段１２０と、映像変換処理手段１３０と、を備えている。
有効領域判定手段１１０は、入力された映像信号を認識し、この入力映像信号についての有効領域のアスペクト比を判定する。例えば、図２に、アスペクト比１６：９の表示領域に有効領域のアスペクト比４：３の映像６０を示す。映像６０は、アスペクト比４：３の有効領域６１と、有効領域６１の左右に設けられた黒帯状の無画部６２と、からなる。有効領域６１と無画部６２との境界部６３および近辺の所定の領域６４および６５について、入力映像信号の一の画素の輝度信号レベルとこの画素の水平方向の一方に隣接する画素の輝度信号レベルとの差分絶対値を算出し、この差分絶対値が入力映像信号の垂直方向に累積され、この累積結果のピーク値および平均値を算出し、その差分値が基準値以上で、かつ、ピーク値が発生した画素の位置が有効領域６１と左右の無画部６２との境界部６３にあると想定される場合に、アスペクト比１６：９の映像中にアスペクト比４：３の有効領域６１および左右の無画部６２があると判定する。さらに、これらの処理を時間方向に累積する時定数処理を実施し、一定時間の判定を最終判定とすることで、誤判定を避けることができる。また、有効領域を判定する方法はこれに限られず、例えば、アスペクト比１６：９の映像中におけるアスペクト比４：３の有効領域６１の動き量が、左右の無画部６２の動き量に対して多いことから判定する方法などを利用してもよい。【００１９】
シーンチェンジ検出手段１２０は、一連した時間的に相関の高い映像が切り替わる瞬間を検出する。具体的には、画面全体のＡＰＬ（Ａｖｅｒａｇｅ  Ｐｉｃｔｕｒｅ  Ｌｅｖｅｌ）が時間的に急激に変化したことで検出する方法や、輝度信号もしくはＲＧＢ信号のヒストグラムの急激な変化を検出することによりシーンチェンジと判断する方法がある。例えば、図３に、表示領域に表示された映像Ａの輝度分布を示す。そして、図４に映像Ａに続く映像Ｂの輝度分布を示す。図３および図４に示されるように、映像Ａと映像Ｂとでは輝度分布が大きく変化しているため、映像Ａと映像Ｂとの間でシーンチェンジがあったと検出する。また、フレームメモリを持っているシステムにおいては、画素ごとにフレーム間差分を取り、それを累積することにより累積値が一定レベル以上の場合にシーンチェンジとするなどの方法がある。【００２０】
映像変換処理手段１３０は、入力された映像信号に対して、前述の有効領域判定手段１１０によって判定された有効領域のアスペクト比と、シーンチェンジ検出手段１２０によって検出されたシーンチェンジの情報に基づいて入力映像信号の変換を行い、変換された映像信号を映像表示手段２００に出力する。
例えば、有効領域のアスペクト比１６：９の入力映像信号が変換されずに映像表示手段２００の表示領域に表示されている場合について説明する。このとき、有効領域判定手段１１０で入力映像信号が有効領域のアスペクト比４：３であると判定され、シーンチェンジ検出手段１２０でシーンチェンジが検出されると、映像変換処理手段１３０は、入力映像信号に対して横方向の拡大処理を行い、有効領域のアスペクト比１６：９の映像信号に変換して映像表示手段２００に出力する。一方、シーンチェンジが検出されない場合は、拡大処理を行わずに出力する。また、有効領域判定手段１１０で入力映像信号が有効領域のアスペクト比１６：９であると判定されると、映像変換処理手段１３０は、拡大処理を行わずに映像表示手段２００に出力する。【００２１】
また、有効領域のアスペクト比４：３の入力映像信号に拡大処理が施されて映像表示手段２００の表示領域に表示されている場合について説明する。このとき、有効領域判定手段１１０で入力映像信号が有効領域のアスペクト比４：３であると判定されると、映像変換処理手段１３０は、引き続き入力映像信号に拡大処理を行い、有効領域のアスペクト比１６：９の映像信号に変換して映像表示手段２００に出力する。また、有効領域判定手段１１０で入力映像信号が有効領域のアスペクト比１６：９であると判定され、シーンチェンジ検出手段１２０でシーンチェンジが検出されると、映像変換処理手段１３０は、入力映像信号に対して拡大処理を行わずに、有効領域のアスペクト比１６：９の入力映像信号をそのまま映像表示手段２００に出力する。すなわち、一方、シーンチェンジが検出されない場合は、拡大処理を行わずに映像表示手段２００に出力する。【００２２】
なお、入力映像信号の有効領域のアスペクト比が切り替わる瞬間は、前回までの処理が有効となる。すなわち、有効領域のアスペクト比４：３の入力映像信号に対して拡大処理を施して変換した映像信号を出力していた場合に、有効領域のアスペクト比１６：９の入力映像信号に切り替わると、映像変換処理手段１３０は、有効領域のアスペクト比１６：９の入力映像信号に拡大処理を施して出力する。一方、有効領域のアスペクト比１６：９の入力映像信号に変換処理を行わずに出力していた場合に、有効領域のアスペクト比４：３の入力映像信号に切り替わると、映像変換処理手段１３０は、有効領域のアスペクト比４：３の入力映像信号に変換処理を行わずに出力する。【００２３】
映像表示手段２００は、映像変換処理手段１３０から出力された出力映像信号を表示領域に表示させる制御をする。表示領域は、１６：９のアスペクト比で構成され、例えばプラズマディスプレイパネル（ＰＤＰ）、液晶パネル、有機ＥＬパネルなどの各種表示パネル、ＦＥＤ(Field Emission Display)やＣＲＴ（Cathode-Ray Tube）などの各種電子放電を利用したディスプレイなど、各種表示デバイスを利用できる。【００２４】
［映像表示装置の動作］
次に、映像表示装置の動作を図５に示す映像の流れに沿って説明する。
図５は、第１実施形態における映像表示装置で表示される映像の流れを示す説明図である。
まず、図示しないアンテナなどを介して放送局から有効領域のアスペクト比１６：９の映像信号が初期状態の映像表示装置に入力される。ここで、初期状態とは映像表示装置の映像表示手段に映像信号が表示されていない状態をいう。映像変換処理手段１３０は、入力された映像信号をそのまま映像表示手段２００に出力して表示領域に画像表示させる（シーンＳ１０１）。また、この動作と同時に、有効領域判定手段１１０は、入力された映像信号の有効領域のアスペクト比を判定する。ここでは、有効領域のアスペクト比は１６：９であると判定され、表示領域のアスペクト比と有効領域のアスペクト比が一致しているので、シーンチェンジ検出手段１２０の検出結果によらず映像変換処理手段１３０は拡大処理を行わず、続いて入力される映像信号の有効領域のアスペクト比が変化するまでは映像変換処理手段１３０は入力映像信号をそのまま映像表示手段２００に出力する。【００２５】
そして、有効領域のアスペクト比４：３の映像信号が映像表示装置に入力される。映像変換処理手段１３０は、同様にして入力された映像信号をそのまま映像表示手段２００に出力して表示領域に画像表示させる（シーンＳ１０２）。また、この動作と同時に、有効領域判定手段１１０は、入力された映像信号の有効領域のアスペクト比を判定する。ここでは、有効領域のアスペクト比は４：３であると判定される。アスペクト比に変化があると、シーンチェンジ検出手段１２０で検出されるシーンチェンジの結果が有効になる。シーンチェンジが検出されない場合、映像変換処理手段１３０は入力された映像信号をそのまま映像表示手段２００に出力する。シーンチェンジが検出されると、映像変換処理手段１３０はシーンチェンジ後の入力映像信号に対して横方向に拡大処理を施し、有効領域のアスペクト比１６：９に変換した映像信号を、映像表示手段２００に出力して表示領域に画像表示させる（シーンＳ１０３）。
続いて入力される映像信号のアスペクト比が変化するまでは映像変換処理手段１３０は入力映像信号に対して拡大処理を施し、変換した映像信号を映像表示手段２００に出力する。【００２６】
次に、有効領域のアスペクト比１６：９の映像信号が映像表示装置に入力される。映像変換処理手段１３０は、同様にして入力映像信号に対して拡大処理を施し、変換した映像信号を映像表示手段２００に出力して表示領域に画像表示させる（シーンＳ１０４）。また、この動作と同時に、有効領域判定手段１１０は、入力された映像信号の有効領域のアスペクト比を判定する。ここでは、有効領域のアスペクト比は１６：９であると判定される。アスペクト比に変化があると、シーンチェンジ検出手段１２０で検出されるシーンチェンジの結果が有効になる。シーンチェンジが検出されない場合、映像変換処理手段１３０は入力された映像信号に対して拡大処理を施し、変換した映像信号を映像表示手段２００に出力する。シーンチェンジが検出されると、映像変換処理手段１３０はシーンチェンジ後の入力映像信号に対して拡大処理を行わずに映像表示手段２００に出力して表示領域に画像表示させる（シーンＳ１０５）。
このように、入力される映像信号の有効領域のアスペクト比が変化すると、シーンチェンジを検出し、検出されたシーンチェンジに同期させて有効領域を変換して表示させる。【００２７】
［第１実施形態の作用効果］
上述したように、第１実施形態の映像表示装置では、以下のような作用効果を奏することができる。
（１）上述の実施形態では、映像表示装置に入力される映像信号の有効領域のアスペクト比の変化を有効領域判定手段１１０が判定し、アスペクト比に変化がある場合はシーンチェンジ検出手段１２０がシーンチェンジを検出し、映像変換処理手段１３０はシーンチェンジに同期させて、入力映像信号を変換している。これにより、一連の同じようなシーンを表示させているときは同一のアスペクト比で表示し、シーンが切り替わるときにアスペクト比を変更した映像を表示する。
したがって、一連の同じようなシーンを表示させているときに突然アスペクト比が変わってしまうことがないため、ユーザに不自然さや煩わしさを感じさせることなく快適な映像表示を行うことができる。また、映像表示装置により自動でアスペクト比が切り替わるので、ユーザがリモコン操作をするという煩わしさを解消することができる。【００２８】
（２）また、入力された映像信号の有効領域のアスペクト比が４：３の場合は、１６：９に拡大した画像を映像表示手段２００の表示領域に表示させることとしたので、表示領域全体の輝度を均一に保って焼き付きを防止することができる。
（３）さらに、有効領域のアスペクト比を変換することで表示領域全体に映像を表示させることができるので、画面サイズに応じた映像を表示させることができ、ユーザが満足する映像表示を提供することができる。【００２９】
（４）そして、有効領域のアスペクト比１６：９の入力映像信号が拡大されて映像表示手段２００に表示された場合、映像変換処理手段１３０はシーンチェンジに同期させて入力映像信号の有効領域のアスペクト比を変換せずに出力する。
このため、情報が欠落して表示されている映像を適切な有効範囲で自然に表示させることができるので、ユーザに不自然さおよび煩わしさを感じさせずに適切な映像表示を提供することができる。【００３０】
（第２実施形態）
第２実施形態では、映像変換処理手段の動作が異なる以外は、第１実施形態と同様の構成であるので映像変換処理手段について説明する。【００３１】
［映像表示装置の動作］
映像変換処理手段１３１は、有効領域のアスペクト比４：３の入力映像信号に拡大処理が施され、有効領域のアスペクト比１６：９に変換されて映像表示手段２００の表示領域に表示されている場合に、有効領域のアスペクト比１６：９の映像信号が入力された場合の動作のみが異なる。
有効領域のアスペクト比４：３の入力映像信号が拡大処理を施されて表示されている場合に、有効領域のアスペクト比１６：９の映像信号が入力されたときは、シーンチェンジを検出せずに直ちに処理の切り替えを行う。すなわち、有効領域判定手段１１０で入力映像信号が有効領域のアスペクト比１６：９であると判定されると直ちに、映像変換処理手段１３０は、拡大処理を行わずに有効領域のアスペクト比１６：９の入力映像信号を映像表示手段２００に出力する。【００３２】
次に、具体的な動作について図６を用いて説明する。
図６は、第２実施形態における映像表示装置で表示される映像の流れを示す説明図である。
図６において、シーンＳ１０４以降の動作が第１実施形態とは異なる。
シーンＳ１０３は、有効領域のアスペクト比４：３の入力信号に対して拡大処理を施された映像が表示されている。
続いて、有効領域のアスペクト比１６：９の映像信号が入力されると、映像変換処理手段１３１は、この入力映像信号に対して拡大処理を施し、変換された映像信号を映像表示手段２００に出力して画像表示させる（シーンＳ１０４）。そして、有効領域判定手段１１０が入力映像信号は有効領域のアスペクト比が１６：９の映像信号であると判定すると直ちに、映像変換処理手段１３１は拡大処理を行わないで有効領域のアスペクト比１６：９の入力映像信号を映像表示手段２００に出力して画像表示させる（シーンＳ１０６）。【００３３】
［第２実施形態の作用効果］
第２実施形態では、第１実施形態で得られる作用効果（１）〜（３）のほかに、以下のような作用効果を奏することができる。
（５）有効領域のアスペクト比４：３の入力映像信号に拡大処理を施して映像表示手段２００の表示領域に表示させている場合に有効領域のアスペクト比１６：９の映像信号が入力されたとき、有効領域判定手段１１０によって有効領域のアスペクト比１６：９であると判断されると直ちに、一連の同じようなシーンを出力中であっても、拡大処理を行わないで有効領域のアスペクト比１６：９の入力映像信号を映像表示手段２００の表示領域に表示させることとした。
有効領域のアスペクト比１６：９の入力映像信号に対して拡大処理を行うということは情報が欠落して表示されているということである。第２実施形態では、有効領域の検出が行われると直ちに適切な有効領域で表示するため、情報が欠落している時間が短くなり適切な情報をユーザに提供することができる。【００３４】
［実施形態の変形］
なお、本発明は、上述した実施形態に限定されるものではなく、本発明の目的を達成できる範囲で以下に示される変形をも含むものである。
例えば、上記実施形態では、表示領域のアスペクト比１６：９の映像表示手段２００に表示させる場合について説明したが、表示領域のアスペクト比４：３の映像表示手段に表示させる場合についても同様に、入力映像信号の変換を制御することにより適切な映像表示を行うことができるものである。【００３５】
また、上記実施形態では、有効領域と有効領域の左右の無画部の有無を検出することにより横方向に拡大処理を施したが、上下に黒帯状の無画部が付加された映像にも対応することができる。例えば、映画などでは映像の上下に無画部が表示されており、有効領域判定手段１１０によって有効領域と有効領域の上下の無画部を検出し、シーンチェンジ検出手段１２０によるシーンチェンジの検出に同期して上下方向に拡大処理を行い、映像を切り替えることにより、一連の同じようなシーンが表示されている場合に突然アスペクト比が変化するといった不自然さや煩わしさが発生するのを防止することができる。【００３６】
さらに、上記実施形態では、入力映像信号にすでに左右の無画部が付加された状態を説明したが、映像表示装置で黒帯状の無画部を付加する場合にも適用することができる。例えば、無画部生成手段をさらに備え、無画部生成手段は入力映像信号に応じた無画部を付加し、無画部が付加された映像信号に対して上記実施形態と同様の処理を行うことができる。【００３７】
そして、上記実施形態では、シーンチェンジ検出手段１２０は、映像からシーンチェンジを検出しているが、映像信号に含まれる音声情報の切り替わりを検出することでシーンチェンジを検出してもよい。また、映像から検出されるシーンチェンジと音声情報から検出されるシーンチェンジとから総合的に判定することにより、シーンチェンジをより精度高く検出することができる。【００３８】
また、上記実施形態では、有効領域のアスペクト比が１６：９と４：３の場合について説明したが、これらに限られず、その他のアスペクト比の表示領域を有する表示手段にも対応することができる。【００３９】
また、上述した各機能をプログラムとして構築したり、回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。【００４０】
その他、本発明の実施の際の具体的な構成および方法は、本発明の目的を達成できる範囲で他の構成に適宜変更できる。【００４１】
［実施形態の効果］
上述の実施形態では、映像表示装置に入力される映像信号の有効領域のアスペクト比の変化を有効領域判定手段１１０が判定し、アスペクト比に変化がある場合はシーンチェンジ検出手段１２０がシーンチェンジを検出し、映像変換処理手段１３０はシーンチェンジに同期させて、入力映像信号を変換している。これにより、一連の同じようなシーンを表示させているときは同一のアスペクト比で表示し、シーンが切り替わるときにアスペクト比を変更した映像を表示する。
したがって、一連の同じようなシーンを表示させているときに突然アスペクト比が変わってしまうことがないため、ユーザに不自然さや煩わしさを感じさせることなく快適な映像表示を行うことができる。また、映像表示装置により自動でアスペクト比が切り替わるので、ユーザがリモコン操作をするという煩わしさを解消することができる。
【産業上の利用可能性】
【００４２】
本発明は、映像表示装置、その方法、そのプログラムおよびそのプログラムを記録した記録媒体として利用できる。
【図１】
2010064319.tif 000003
【図２】
2010064319.tif 000004
【図３】
2010064319.tif 000005
【図４】
2010064319.tif 000006
【図５】
2010064319.tif 000007
【図６】
2010064319.tif 000008
【手続補正書】
【提出日】平成23年5月26日(2011.5.26)
【手続補正１】
【補正対象書類名】明細書
【補正対象項目名】全文
【補正方法】変更
【補正の内容】
【発明の詳細な説明】
【技術分野】
【０００１】
本発明は、映像表示制御装置、映像表示装置、そのプログラムおよびそのプログラムを記録した記録媒体に関する。
【背景技術】
【０００２】
従来、世界的に放送のデジタル化が進んでおり、デジタル放送のアスペクト比はほとんど１６：９となっている。しかしながら、従来の放送のアスペクト比が４：３であったり、放送設備が４：３のアスペクト比のものであるなどの背景から、放送される映像信号のアスペクト比は１６：９であるが、実際の有効エリアが４：３であるものも多く、アスペクト比１６：９の有効エリアを持つものと４：３の有効エリアをもつものとが時間的に切り替わっている。そこで、アスペクト比１６：９の放送信号に対して、アスペクト比４：３である映像コンテンツを伝送するため、４：３の有効エリアの両側に黒や灰色の無画部をつけたものや柄付きのデザインされた映像を付加してアスペクト比を１６：９にして伝送する放送が多く存在する。
【０００３】
一方、ＰＤＰ（Ｐｌａｓｍａ  Ｄｉｓｐｌａｙ  Ｐａｎｅｌ）やＣＲＴ（Ｃａｔｈｏｄｅ  Ｒａｙ  Ｔｕｂｅ）では、画面の両サイドを黒い表示のまま長時間表示すると、両サイドは蛍光体の劣化がおきず、画面の中央部のみ蛍光体の劣化が起き、画面全体の輝度の均一性が悪化するという問題や、画面の全体に映像を表示しないことにより画面サイズが小さくなって損をしているようにユーザに感じさせるという問題がある。その対策として、リモコンなどを使って手動で横方向に画面を拡大させて画面全体に有効エリアを表示する機能を持っているものや、アスペクト比が４：３の映像信号が入力されたことを検出し、自動で横方向に拡大処理を行って画面全体に表示できる機能を持つテレビがある（例えば、特許文献１参照）。
【０００４】
特許文献１に記載のものは、アスペクト比４：３の映像の左右部に黒帯状のサイドパネルを付加して擬似的にアスペクト比１６：９とした、いわゆる贋１６：９の番組を受信した場合に、受像機のアスペクト比が１６：９であればサイドパネル部分をカットするとともに、水平拡大してアスペクト比４：３の映像信号を出力している。
【先行技術文献】
【特許文献】
【０００５】
【特許文献１】特開２００１−８１２８号公報
【発明の概要】
【発明が解決しようとする課題】
【０００６】
しかしながら、特許文献１に記載のように、受像機側で自動的にアスペクト比を変換して表示させると、一連している相関の高い映像が続いている場合に映像のアスペクト比が突然変わってしまい、ユーザに対して不自然さおよび煩わしさを与えてしまうという問題が一例として挙げられる。
【０００７】
本発明の目的は、表示領域における焼き付きを防止するとともに、自然かつ快適な映像表示を行う映像表示制御装置、映像表示装置、そのプログラムおよびそのプログラムを記録した記録媒体を提供することを一つの目的とする。
【課題を解決するための手段】
【０００８】
本発明の映像表示制御装置は、入力映像信号を処理して所定のアスペクト比を有する表示領域に表示させる映像表示制御装置であって、前記入力映像信号についての有効領域のアスペクト比を判定する有効領域判定手段と、前記入力映像信号中のシーンチェンジを検出するシーンチェンジ検出手段と、前記入力映像信号中の前記有効領域のアスペクト比の変化に応じて前記有効領域の拡大または非拡大の変換を行った出力映像信号を前記表示領域に表示させる映像変換処理手段と、を具備し、前記表示領域は、第１のアスペクト比を有し、前記映像変換処理手段は、前記拡大または前記非拡大のうち少なくともいずれか一方の処理を前記検出されたシーンチェンジに同期させ、前記入力映像信号中の前記有効領域のアスペクト比が前記第１のアスペクト比から、前記第１のアスペクト比よりも小さい第２のアスペクト比に変化した場合、前記シーンチェンジが検出されない間は前記有効領域のアスペクト比を変換せずに出力映像信号として出力し、前記シーンチェンジが検出されると前記有効領域のアスペクト比を前記第１のアスペクト比に拡大変換した出力映像信号を出力し、前記入力映像信号中の前記有効領域のアスペクト比が前記第２のアスペクト比から前記第１のアスペクト比に変化した場合、直ちに前記有効領域のアスペクト比を変換せずに出力映像信号として出力することを特徴とする。
【０００９】
本発明の映像表示装置は、前述の映像表示制御装置と、この映像表示制御装置で生成された出力映像信号を表示する映像表示手段と、を具備したことを特徴とする。
【００１０】
本発明の映像表示プログラムは、前述の映像表示方法を演算手段に実行させることを特徴とする。
【００１１】
本発明の記録媒体は、前述の映像表示プログラムが演算手段にて読取可能に記録されたことを特徴とする。
【図面の簡単な説明】
【００１２】
【図１】本発明にかかる第１実施形態の映像表示装置の概略構成を示すブロック図。
【図２】前記第１実施形態における映像表示装置に表示される映像の有効領域を検出する方法を示す説明図。
【図３】前記第１実施形態における映像表示装置で表示される映像の輝度の分布を示すグラフ。
【図４】前記第１実施形態における映像表示装置で表示される映像の輝度の分布を示すグラフ。
【図５】前記第１実施形態における映像表示装置で表示される映像の流れを示す説明図。
【図６】本発明にかかる第２実施形態における映像表示装置で表示される映像の流れを示す説明図。
【発明を実施するための形態】
【００１３】
（第１実施形態）
以下、本発明の第１実施形態を図面に基づいて説明する。
この第１実施形態では、アスペクト比１６：９の表示領域に映像を表示させる映像表示装置を例示して説明する。
【００１４】
［映像表示装置の構成］
まず、映像表示装置の構成について説明する。
図１は、本発明にかかる第１実施形態の映像表示装置の概略構成を示すブロック図である。図２は、前記第１実施形態における映像表示装置に表示される映像の有効領域を検出する方法を示す説明図である。図３は、前記第１実施形態における映像表示装置で表示される映像の輝度の分布を示すグラフである。図４は、前記第１実施形態における映像表示装置で表示される映像の輝度の分布を示すグラフである。
【００１５】
図１に示すように、映像表示装置は、入力された映像信号を映像表示手段２００のアスペクト比１６：９の表示領域に応じた映像に変換して表示させる装置である。この映像表示装置は、演算手段としての映像表示制御装置１００と、映像表示手段２００と、を備えている。また、映像表示装置は、例えば記憶手段を備え、映像表示手段２００のアスペクト比等のデータを読み出し可能に記憶できる構成などとしてもよいし、データ取得手段を備え、このデータ取得手段は、例えばアンテナから放送波を受信しこの放送波から映像信号を取得するチューナ、通信回線を介して例えばネットワーク上で配信される映像信号を取得する通信部、例えばＣＤ、ＤＶＤ、ＭＤなどの各種光ディスク、光磁気ディスク、磁気ディスクなどの記録媒体に記録された映像信号を読み込み可能なドライブ装置などであってもよい。
【００１６】
映像表示制御装置１００は、入力映像信号を処理して出力映像信号として映像表示手段２００に出力する装置であり、有効領域判定手段１１０と、シーンチェンジ検出手段１２０と、映像変換処理手段１３０と、を備えている。
有効領域判定手段１１０は、入力された映像信号を認識し、この入力映像信号についての有効領域のアスペクト比を判定する。例えば、図２に、アスペクト比１６：９の表示領域に有効領域のアスペクト比４：３の映像６０を示す。映像６０は、アスペクト比４：３の有効領域６１と、有効領域６１の左右に設けられた黒帯状の無画部６２と、からなる。有効領域６１と無画部６２との境界部６３および近辺の所定の領域６４および６５について、入力映像信号の一の画素の輝度信号レベルとこの画素の水平方向の一方に隣接する画素の輝度信号レベルとの差分絶対値を算出し、この差分絶対値が入力映像信号の垂直方向に累積され、この累積結果のピーク値および平均値を算出し、その差分値が基準値以上で、かつ、ピーク値が発生した画素の位置が有効領域６１と左右の無画部６２との境界部６３にあると想定される場合に、アスペクト比１６：９の映像中にアスペクト比４：３の有効領域６１および左右の無画部６２があると判定する。さらに、これらの処理を時間方向に累積する時定数処理を実施し、一定時間の判定を最終判定とすることで、誤判定を避けることができる。また、有効領域を判定する方法はこれに限られず、例えば、アスペクト比１６：９の映像中におけるアスペクト比４：３の有効領域６１の動き量が、左右の無画部６２の動き量に対して多いことから判定する方法などを利用してもよい。
【００１７】
シーンチェンジ検出手段１２０は、一連した時間的に相関の高い映像が切り替わる瞬間を検出する。具体的には、画面全体のＡＰＬ（Ａｖｅｒａｇｅ  Ｐｉｃｔｕｒｅ  Ｌｅｖｅｌ）が時間的に急激に変化したことで検出する方法や、輝度信号もしくはＲＧＢ信号のヒストグラムの急激な変化を検出することによりシーンチェンジと判断する方法がある。例えば、図３に、表示領域に表示された映像Ａの輝度分布を示す。そして、図４に映像Ａに続く映像Ｂの輝度分布を示す。図３および図４に示されるように、映像Ａと映像Ｂとでは輝度分布が大きく変化しているため、映像Ａと映像Ｂとの間でシーンチェンジがあったと検出する。また、フレームメモリを持っているシステムにおいては、画素ごとにフレーム間差分を取り、それを累積することにより累積値が一定レベル以上の場合にシーンチェンジとするなどの方法がある。
【００１８】
映像変換処理手段１３０は、入力された映像信号に対して、前述の有効領域判定手段１１０によって判定された有効領域のアスペクト比と、シーンチェンジ検出手段１２０によって検出されたシーンチェンジの情報に基づいて入力映像信号の変換を行い、変換された映像信号を映像表示手段２００に出力する。
例えば、有効領域のアスペクト比１６：９の入力映像信号が変換されずに映像表示手段２００の表示領域に表示されている場合について説明する。このとき、有効領域判定手段１１０で入力映像信号が有効領域のアスペクト比４：３であると判定され、シーンチェンジ検出手段１２０でシーンチェンジが検出されると、映像変換処理手段１３０は、入力映像信号に対して横方向の拡大処理を行い、有効領域のアスペクト比１６：９の映像信号に変換して映像表示手段２００に出力する。一方、シーンチェンジが検出されない場合は、拡大処理を行わずに出力する。また、有効領域判定手段１１０で入力映像信号が有効領域のアスペクト比１６：９であると判定されると、映像変換処理手段１３０は、拡大処理を行わずに映像表示手段２００に出力する。
【００１９】
また、有効領域のアスペクト比４：３の入力映像信号に拡大処理が施されて映像表示手段２００の表示領域に表示されている場合について説明する。このとき、有効領域判定手段１１０で入力映像信号が有効領域のアスペクト比４：３であると判定されると、映像変換処理手段１３０は、引き続き入力映像信号に拡大処理を行い、有効領域のアスペクト比１６：９の映像信号に変換して映像表示手段２００に出力する。また、有効領域判定手段１１０で入力映像信号が有効領域のアスペクト比１６：９であると判定され、シーンチェンジ検出手段１２０でシーンチェンジが検出されると、映像変換処理手段１３０は、入力映像信号に対して拡大処理を行わずに、有効領域のアスペクト比１６：９の入力映像信号をそのまま映像表示手段２００に出力する。すなわち、一方、シーンチェンジが検出されない場合は、拡大処理を行わずに映像表示手段２００に出力する。
【００２０】
なお、入力映像信号の有効領域のアスペクト比が切り替わる瞬間は、前回までの処理が有効となる。すなわち、有効領域のアスペクト比４：３の入力映像信号に対して拡大処理を施して変換した映像信号を出力していた場合に、有効領域のアスペクト比１６：９の入力映像信号に切り替わると、映像変換処理手段１３０は、有効領域のアスペクト比１６：９の入力映像信号に拡大処理を施して出力する。一方、有効領域のアスペクト比１６：９の入力映像信号に変換処理を行わずに出力していた場合に、有効領域のアスペクト比４：３の入力映像信号に切り替わると、映像変換処理手段１３０は、有効領域のアスペクト比４：３の入力映像信号に変換処理を行わずに出力する。
【００２１】
映像表示手段２００は、映像変換処理手段１３０から出力された出力映像信号を表示領域に表示させる制御をする。表示領域は、１６：９のアスペクト比で構成され、例えばプラズマディスプレイパネル（ＰＤＰ）、液晶パネル、有機ＥＬパネルなどの各種表示パネル、ＦＥＤ(Field Emission Display)やＣＲＴ（Cathode-Ray Tube）などの各種電子放電を利用したディスプレイなど、各種表示デバイスを利用できる。
【００２２】
［映像表示装置の動作］
次に、映像表示装置の動作を図５に示す映像の流れに沿って説明する。
図５は、第１実施形態における映像表示装置で表示される映像の流れを示す説明図である。
まず、図示しないアンテナなどを介して放送局から有効領域のアスペクト比１６：９の映像信号が初期状態の映像表示装置に入力される。ここで、初期状態とは映像表示装置の映像表示手段に映像信号が表示されていない状態をいう。映像変換処理手段１３０は、入力された映像信号をそのまま映像表示手段２００に出力して表示領域に画像表示させる（シーンＳ１０１）。また、この動作と同時に、有効領域判定手段１１０は、入力された映像信号の有効領域のアスペクト比を判定する。ここでは、有効領域のアスペクト比は１６：９であると判定され、表示領域のアスペクト比と有効領域のアスペクト比が一致しているので、シーンチェンジ検出手段１２０の検出結果によらず映像変換処理手段１３０は拡大処理を行わず、続いて入力される映像信号の有効領域のアスペクト比が変化するまでは映像変換処理手段１３０は入力映像信号をそのまま映像表示手段２００に出力する。
【００２３】
そして、有効領域のアスペクト比４：３の映像信号が映像表示装置に入力される。映像変換処理手段１３０は、同様にして入力された映像信号をそのまま映像表示手段２００に出力して表示領域に画像表示させる（シーンＳ１０２）。また、この動作と同時に、有効領域判定手段１１０は、入力された映像信号の有効領域のアスペクト比を判定する。ここでは、有効領域のアスペクト比は４：３であると判定される。アスペクト比に変化があると、シーンチェンジ検出手段１２０で検出されるシーンチェンジの結果が有効になる。シーンチェンジが検出されない場合、映像変換処理手段１３０は入力された映像信号をそのまま映像表示手段２００に出力する。シーンチェンジが検出されると、映像変換処理手段１３０はシーンチェンジ後の入力映像信号に対して横方向に拡大処理を施し、有効領域のアスペクト比１６：９に変換した映像信号を、映像表示手段２００に出力して表示領域に画像表示させる（シーンＳ１０３）。
続いて入力される映像信号のアスペクト比が変化するまでは映像変換処理手段１３０は入力映像信号に対して拡大処理を施し、変換した映像信号を映像表示手段２００に出力する。
【００２４】
次に、有効領域のアスペクト比１６：９の映像信号が映像表示装置に入力される。映像変換処理手段１３０は、同様にして入力映像信号に対して拡大処理を施し、変換した映像信号を映像表示手段２００に出力して表示領域に画像表示させる（シーンＳ１０４）。また、この動作と同時に、有効領域判定手段１１０は、入力された映像信号の有効領域のアスペクト比を判定する。ここでは、有効領域のアスペクト比は１６：９であると判定される。アスペクト比に変化があると、シーンチェンジ検出手段１２０で検出されるシーンチェンジの結果が有効になる。シーンチェンジが検出されない場合、映像変換処理手段１３０は入力された映像信号に対して拡大処理を施し、変換した映像信号を映像表示手段２００に出力する。シーンチェンジが検出されると、映像変換処理手段１３０はシーンチェンジ後の入力映像信号に対して拡大処理を行わずに映像表示手段２００に出力して表示領域に画像表示させる（シーンＳ１０５）。
このように、入力される映像信号の有効領域のアスペクト比が変化すると、シーンチェンジを検出し、検出されたシーンチェンジに同期させて有効領域を変換して表示させる。
【００２５】
［第１実施形態の作用効果］
上述したように、第１実施形態の映像表示装置では、以下のような作用効果を奏することができる。
（１）上述の実施形態では、映像表示装置に入力される映像信号の有効領域のアスペクト比の変化を有効領域判定手段１１０が判定し、アスペクト比に変化がある場合はシーンチェンジ検出手段１２０がシーンチェンジを検出し、映像変換処理手段１３０はシーンチェンジに同期させて、入力映像信号を変換している。これにより、一連の同じようなシーンを表示させているときは同一のアスペクト比で表示し、シーンが切り替わるときにアスペクト比を変更した映像を表示する。
したがって、一連の同じようなシーンを表示させているときに突然アスペクト比が変わってしまうことがないため、ユーザに不自然さや煩わしさを感じさせることなく快適な映像表示を行うことができる。また、映像表示装置により自動でアスペクト比が切り替わるので、ユーザがリモコン操作をするという煩わしさを解消することができる。
【００２６】
（２）また、入力された映像信号の有効領域のアスペクト比が４：３の場合は、１６：９に拡大した画像を映像表示手段２００の表示領域に表示させることとしたので、表示領域全体の輝度を均一に保って焼き付きを防止することができる。
（３）さらに、有効領域のアスペクト比を変換することで表示領域全体に映像を表示させることができるので、画面サイズに応じた映像を表示させることができ、ユーザが満足する映像表示を提供することができる。
【００２７】
（４）そして、有効領域のアスペクト比１６：９の入力映像信号が拡大されて映像表示手段２００に表示された場合、映像変換処理手段１３０はシーンチェンジに同期させて入力映像信号の有効領域のアスペクト比を変換せずに出力する。
このため、情報が欠落して表示されている映像を適切な有効範囲で自然に表示させることができるので、ユーザに不自然さおよび煩わしさを感じさせずに適切な映像表示を提供することができる。
【００２８】
（第２実施形態）
第２実施形態では、映像変換処理手段の動作が異なる以外は、第１実施形態と同様の構成であるので映像変換処理手段について説明する。
【００２９】
［映像表示装置の動作］
映像変換処理手段１３１は、有効領域のアスペクト比４：３の入力映像信号に拡大処理が施され、有効領域のアスペクト比１６：９に変換されて映像表示手段２００の表示領域に表示されている場合に、有効領域のアスペクト比１６：９の映像信号が入力された場合の動作のみが異なる。
有効領域のアスペクト比４：３の入力映像信号が拡大処理を施されて表示されている場合に、有効領域のアスペクト比１６：９の映像信号が入力されたときは、シーンチェンジを検出せずに直ちに処理の切り替えを行う。すなわち、有効領域判定手段１１０で入力映像信号が有効領域のアスペクト比１６：９であると判定されると直ちに、映像変換処理手段１３１は、拡大処理を行わずに有効領域のアスペクト比１６：９の入力映像信号を映像表示手段２００に出力する。
【００３０】
次に、具体的な動作について図６を用いて説明する。
図６は、第２実施形態における映像表示装置で表示される映像の流れを示す説明図である。
図６において、シーンＳ１０４以降の動作が第１実施形態とは異なる。
シーンＳ１０３は、有効領域のアスペクト比４：３の入力信号に対して拡大処理を施された映像が表示されている。
続いて、有効領域のアスペクト比１６：９の映像信号が入力されると、映像変換処理手段１３１は、この入力映像信号に対して拡大処理を施し、変換された映像信号を映像表示手段２００に出力して画像表示させる（シーンＳ１０４）。そして、有効領域判定手段１１０が入力映像信号は有効領域のアスペクト比が１６：９の映像信号であると判定すると直ちに、映像変換処理手段１３１は拡大処理を行わないで有効領域のアスペクト比１６：９の入力映像信号を映像表示手段２００に出力して画像表示させる（シーンＳ１０６）。
【００３１】
［第２実施形態の作用効果］
第２実施形態では、第１実施形態で得られる作用効果（１）〜（３）のほかに、以下のような作用効果を奏することができる。
（５）有効領域のアスペクト比４：３の入力映像信号に拡大処理を施して映像表示手段２００の表示領域に表示させている場合に有効領域のアスペクト比１６：９の映像信号が入力されたとき、有効領域判定手段１１０によって有効領域のアスペクト比１６：９であると判断されると直ちに、一連の同じようなシーンを出力中であっても、拡大処理を行わないで有効領域のアスペクト比１６：９の入力映像信号を映像表示手段２００の表示領域に表示させることとした。
有効領域のアスペクト比１６：９の入力映像信号に対して拡大処理を行うということは情報が欠落して表示されているということである。第２実施形態では、有効領域の検出が行われると直ちに適切な有効領域で表示するため、情報が欠落している時間が短くなり適切な情報をユーザに提供することができる。
【００３２】
［実施形態の変形］
なお、本発明は、上述した実施形態に限定されるものではなく、本発明の目的を達成できる範囲で以下に示される変形をも含むものである。
例えば、上記実施形態では、表示領域のアスペクト比１６：９の映像表示手段２００に表示させる場合について説明したが、表示領域のアスペクト比４：３の映像表示手段に表示させる場合についても同様に、入力映像信号の変換を制御することにより適切な映像表示を行うことができるものである。
【００３３】
また、上記実施形態では、有効領域と有効領域の左右の無画部の有無を検出することにより横方向に拡大処理を施したが、上下に黒帯状の無画部が付加された映像にも対応することができる。例えば、映画などでは映像の上下に無画部が表示されており、有効領域判定手段１１０によって有効領域と有効領域の上下の無画部を検出し、シーンチェンジ検出手段１２０によるシーンチェンジの検出に同期して上下方向に拡大処理を行い、映像を切り替えることにより、一連の同じようなシーンが表示されている場合に突然アスペクト比が変化するといった不自然さや煩わしさが発生するのを防止することができる。
【００３４】
さらに、上記実施形態では、入力映像信号にすでに左右の無画部が付加された状態を説明したが、映像表示装置で黒帯状の無画部を付加する場合にも適用することができる。例えば、無画部生成手段をさらに備え、無画部生成手段は入力映像信号に応じた無画部を付加し、無画部が付加された映像信号に対して上記実施形態と同様の処理を行うことができる。
【００３５】
そして、上記実施形態では、シーンチェンジ検出手段１２０は、映像からシーンチェンジを検出しているが、映像信号に含まれる音声情報の切り替わりを検出することでシーンチェンジを検出してもよい。また、映像から検出されるシーンチェンジと音声情報から検出されるシーンチェンジとから総合的に判定することにより、シーンチェンジをより精度高く検出することができる。
【００３６】
また、上記実施形態では、有効領域のアスペクト比が１６：９と４：３の場合について説明したが、これらに限られず、その他のアスペクト比の表示領域を有する表示手段にも対応することができる。
【００３７】
また、上述した各機能をプログラムとして構築したり、回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【００３８】
その他、本発明の実施の際の具体的な構成および方法は、本発明の目的を達成できる範囲で他の構成に適宜変更できる。
【００３９】
［実施形態の効果］
上述の実施形態では、映像表示装置に入力される映像信号の有効領域のアスペクト比の変化を有効領域判定手段１１０が判定し、アスペクト比に変化がある場合はシーンチェンジ検出手段１２０がシーンチェンジを検出し、映像変換処理手段１３０はシーンチェンジに同期させて、入力映像信号を変換している。これにより、一連の同じようなシーンを表示させているときは同一のアスペクト比で表示し、シーンが切り替わるときにアスペクト比を変更した映像を表示する。
したがって、一連の同じようなシーンを表示させているときに突然アスペクト比が変わってしまうことがないため、ユーザに不自然さや煩わしさを感じさせることなく快適な映像表示を行うことができる。また、映像表示装置により自動でアスペクト比が切り替わるので、ユーザがリモコン操作をするという煩わしさを解消することができる。
【産業上の利用可能性】
【００４０】
本発明は、映像表示制御装置、映像表示装置、そのプログラムおよびそのプログラムを記録した記録媒体として利用できる。
【符号の説明】
【００４１】
１０…映像表示装置
１００…演算手段としての映像表示制御装置
１１０…有効領域判定手段
１２０…シーンチェンジ検出手段
１３０、１３１…映像変換処理手段
２００…映像表示手段
【手続補正２】
【補正対象書類名】特許請求の範囲
【補正対象項目名】全文
【補正方法】変更
【補正の内容】
【特許請求の範囲】
【請求項１】
入力映像信号を処理して所定のアスペクト比を有する表示領域に表示させる映像表示制御装置であって、
前記入力映像信号についての有効領域のアスペクト比を判定する有効領域判定手段と、
前記入力映像信号中のシーンチェンジを検出するシーンチェンジ検出手段と、
前記入力映像信号中の前記有効領域のアスペクト比の変化に応じて前記有効領域の拡大または非拡大の変換を行った出力映像信号を前記表示領域に表示させる映像変換処理手段と、を具備し、
前記表示領域は、第１のアスペクト比を有し、
前記映像変換処理手段は、
前記拡大または前記非拡大のうち少なくともいずれか一方の処理を前記検出されたシーンチェンジに同期させ、
前記入力映像信号中の前記有効領域のアスペクト比が前記第１のアスペクト比から、前記第１のアスペクト比よりも小さい第２のアスペクト比に変化した場合、前記シーンチェンジが検出されない間は前記有効領域のアスペクト比を変換せずに出力映像信号として出力し、前記シーンチェンジが検出されると前記有効領域のアスペクト比を前記第１のアスペクト比に拡大変換した出力映像信号を出力し、
前記入力映像信号中の前記有効領域のアスペクト比が前記第２のアスペクト比から前記第１のアスペクト比に変化した場合、直ちに前記有効領域のアスペクト比を変換せずに出力映像信号として出力する
ことを特徴とする映像表示制御装置。
【請求項２】
請求項１に記載の映像表示制御装置と、
この映像表示制御装置で生成された出力映像信号を表示する映像表示手段と、
を具備したことを特徴とする映像表示装置。
【請求項３】
演算手段を請求項１に記載の映像表示制御装置として機能させる
ことを特徴とする映像表示プログラム。
【請求項４】
請求項３に記載の映像表示プログラムが演算手段にて読取可能に記録された
ことを特徴とする映像表示プログラムを記録した記録媒体。
【国際調査報告】
2010064319.tif 000009
2010064319.tif 000010
2010064319.tif 000011
2010064319.tif 000012
2010064319.tif 000013
2010064319.tif 000014
2010064319.tif 000015
2010064319.tif 000016